(57)【要約】      （修正有）【課題】令翠学運命分析を理解しやすくするために、令翠学運命分析鑑定用の円形運命盤を提供する。【解決手段】（１）鑑定士の判断、鑑定依頼人への鑑定内容の説明、鑑定依頼人の理解を容易にするための運命盤において、年月５，３、方位１、干支２を空欄４と共に円形に配置、それぞれ独立に回転できるようにし表現した、（２）人間の生まれを１２種類（以下「宿星」という。）に置き換えて、それぞれの宿星の元生まれた人間の運命を、１２年を１周として分析すると共に、その１２年の一年一年に一定順序の１２の言葉を当てはめ運命周期として表現し、１２の各宿星それぞれの周期に上記１２の言葉を当てはめ、年月、方位、干支の関係を表現し、運命分析する為に、記録媒体に記録されている。【選択図】図１
0003110574.tif 000002
【実用新案登録請求の範囲】
【請求項１】
鑑定士の判断、鑑定依頼人への鑑定内容の説明、鑑定依頼人の理解を容易にするための運命盤において、年月、方位、干支を空欄と共に円形に配置、表現したことを特徴とする令翠学運命分析鑑定用の円形運命盤。
【請求項２】
人間の生まれを１２種類（以下「宿星」という。）に置き換えて、それぞれの宿星の元生まれた人間の運命を、１２年を１周として分析すると共に、その１２年の一年一年に一定順序の１２の言葉を当てはめ運命周期として表現し、１２の各宿星それぞれの周期に上記１２の言葉を当てはめ、年月、方位、干支の関係を表現し、運命分析する為に、記録媒体に記録されている構成であることを特徴とする請求項１に記載の令翠学運命分析鑑定用の円形運命盤。
【請求項３】
１２の言葉が開拓、生長、決定、健康、人気、油断、再開、経済、充実、背信、令、精算であることを特徴とする請求項１又は２に記載の令翠学運命分析鑑定用の円形運命盤。
【請求項４】
１２の言葉が、記録媒体に記録されている構成であることを特徴とする請求項１〜３のいずれかに記載の令翠学運命分析鑑定用の円形運命盤。
【請求項５】
前記空欄が記録媒体に記録されている１２の言葉を記入するための書込み欄であることを特徴とする請求項１〜４のいずれかに記載の令翠学運命分析鑑定用の円形運命盤。
【請求項６】
記録媒体に記録されている構成が、紙面に印刷されている構成であることを特徴とする請求項１〜５のいずれかに記載の令翠学運命分析鑑定用の円形運命盤。
【考案の詳細な説明】
【技術分野】
【０００１】
本考案は令翠学運命分析鑑定用の円形運命盤に関し、詳しくは令翠学運命分析を理解するための令翠学運命分析鑑定用の円形運命盤に関する。
【背景技術】
【０００２】
従来の運命分析鑑定は、口頭での鑑定がほとんどであり、若しくは、年、月、方位、干支の各個別の表現であったため、年月、方位、干支等のそれぞれにおいて、鑑定上での関連性の表現が難しかった。一方，例えば、回転する針と、文字盤と、文字盤の前面側に配位されると共に針の回転軸上を中心として回動可能に配位された少なくとも１枚の回転板とを備え、上記回転板にグラフが表され、上記グラフが、回転板の回動の中心点を中心とする円周方向に時間軸を採ったものであると共に、回転板の回動の中心点からの距離によって運の強弱を表示するグラフであり、文字盤の表面に、十二支を示す十二支表示と、年を示す年表示との少なくとも何れか一方が、３０度毎に表されている運勢表示時計（特許文献１）が知られているが、運命分析を理解しやすくするためには不充分であった。
【特許文献１】第３００５２７２号登録実用新案公報
【考案の開示】
【考案が解決しようとする課題】
【０００３】
本考案は、令翠学運命分析を理解しやすくするために、令翠学運命分析鑑定用の円形運命盤を提供することを目的とする。
【課題を解決するための手段】
【０００４】
上記課題を解決する本考案は，下記構成を有する。
１．鑑定士の判断、鑑定依頼人への鑑定内容の説明、鑑定依頼人の理解を容易にするための運命盤において、年月、方位、干支を空欄と共に円形に配置、表現したことを特徴とする令翠学運命分析鑑定用の円形運命盤。
【０００５】
２．人間の生まれを１２種類（以下「宿星」という。）に置き換えて、それぞれの宿星の元生まれた人間の運命を、１２年を１周として分析すると共に、その１２年の一年一年に一定順序の１２の言葉を当てはめ運命周期として表現し、１２の各宿星それぞれの周期に上記１２の言葉を当てはめ、年月、方位、干支の関係を表現し、運命分析する為に、記録媒体に記録されている構成であることを特徴とする前記１に記載の令翠学運命分析鑑定用の円形運命盤。
【０００６】
３．１２の言葉が開拓、生長、決定、健康、人気、油断、再開、経済、充実、背信、令、精算であることを特徴とする前記１又は２に記載の令翠学運命分析鑑定用の円形運命盤。
【０００７】
４．１２の言葉が、記録媒体に記録されている構成であることを特徴とする前記１〜３のいずれかに記載の令翠学運命分析鑑定用の円形運命盤。
【０００８】
５．前記空欄が記録媒体に記録されている１２の言葉を記入するための書込み欄であることを特徴とする前記１〜４のいずれかに記載の令翠学運命分析鑑定用の円形運命盤。
【０００９】
６．記録媒体に記録されている構成が、紙面に印刷されている構成であることを特徴とする前記１〜５のいずれかに記載の令翠学運命分析鑑定用の円形運命盤。
【考案の効果】
【００１０】
請求項1に記載の考案によれば、令翠学運命分析について、鑑定士の判断、鑑定依頼人への鑑定内容の説明、鑑定依頼人の理解を容易にすることができる。
【００１１】
請求項２及び３に記載の考案によれば、空欄に、令翠学運命分析の１２種類の各宿星別（宿星＝水星、氷令星、木星、海令星、月星、魚令星、火星、冥令星、金星、小令星、土星、天令星）の１２年周期の言葉（図２参照）を記入することにより、年月、方位、干支との関係を、一目で分かるように、円形化した図を印刷等の記録媒体に記録作成し、運命分析鑑定の時、鑑定士の判断、鑑定依頼人への鑑定内容の説明、鑑定依頼人の理解を容易にすることが可能である。
【００１２】
請求項４〜６に記載の考案によれば、鑑定士及び鑑定依頼人の理解が容易となり、正確なる鑑定が可能となる。
【考案を実施するための最良の形態】
【００１３】
令翠学運命分析は、人間の生まれを１２種類の宿星で表現する。例えば、水星の元で生まれた人を表現する時は、干支の子に１２年周期の言葉（図２参照）の令を置き、その後、右回りに一定の順の言葉を入れ、その１２の言葉の入り方により、年月、方位、干支との関連性からその人間の運命分析をするが、従来の方法では鑑定の際、１２の宿星と１２の言葉、年月との関係について、充分な知識のみならず、豊富な経験が必要な上、トップクラスの専門家も、適切な判断をとりにくいものがあった。
【００１４】
鑑定依頼人も、自分の運命分析をただ漠然と聞くのみで、自分の運命を理解するのに時間が必要であった。本考案は、本来明確に自分の運命を理解するための、令翠学運命分析である。
【００１５】
本考案は、令翠学運命分析を説く、各１２の宿星と１２の言葉、年月、方位、干支の関係を印刷等した円形図に表し図形運命盤として使用する。この円形図を利用することにより、各宿星の令の位置を確定し、一定した順序に１２の言葉を記入することにより、その宿星の周期が瞬時に分析出来、また、１２年の周期のみならずその宿星の月、方位、干支との関係・関連を分析出来、従来必要であった充分な知識と豊富な経験は必要なく、令の位置の確定をすれば容易に分析出来、適切な判断を可能とする。また、鑑定依頼人に対し書面にての明確な説明が可能となる。鑑定依頼人も書面による鑑定後、自分の運命周期を確認理解することを可能とした円形図である。
【００１６】
本考案における「記録媒体に記録されている構成」は、紙面に対する印刷が好ましいが，これに限らず、視認容易な手段であれば，公知のいずれであってもよい。
【実施例】
【００１７】
以下、本考案の実施例について説明する。
実施例１
１９６２年７月１８日生まれ  ＜宿星＞  水星  ＜干支＞  寅
令翠学運命分析では、各宿星を生年月日と特定の数字から、人間それぞれが、１２の宿星内どの宿星の元に生まれたかを算出する。本実施例の場合、算出の結果、宿星＝水星となる。
【００１８】
水星の令（令＝１２の言葉で構成される１２年周期の１つ。図２参照。）は、干支の（子）に当てはめ、年、月、方位における令は以下の表１〜表３となる。
【００１９】
【表１】
0003110574.tif 000003
【００２０】
【表２】
0003110574.tif 000004
【００２１】
【表３】
0003110574.tif 000005
【００２２】
この表１〜表３の結果に基き、図１の空欄（４）に、図２に記載の１２の言葉を右回りに転記することで一覧表が出来上がることとなる。
【００２３】
実施例２
１９４４年５月２５日生まれ  ＜宿星＞  火星  ＜干支＞  申
令翠学運命分析では、各宿星を生年月日と特定の数字から、人間それぞれが、１２の宿星内どの宿星の元に生まれたかを算出する。この実施例の場合、算出の結果、宿星＝火星となる。  
【００２４】
火星の令（令＝１２の言葉で構成される１２年周期の１つ。図２参照。）は、干支の（午）に当てはめ、年、月、方位における令は以下の表４〜表６となる。
【００２５】
【表４】
0003110574.tif 000006
【００２６】
【表５】
0003110574.tif 000007
【００２７】
【表６】
0003110574.tif 000008
【００２８】
この表４〜表６の結果に基き、図１の空欄（４）に、図２に記載の１２の言葉を右回りに転記することで一覧表が出来上がることとなる。
【００２９】
表１〜表６において２宿星にも共通する項目は、干支、年、月、方位である。その他の１０宿星においても共通である為、共通項目をまとめたものが、下記表７となる。
【００３０】
【表７】
0003110574.tif 000009
【００３１】
１２の言葉（周期）のみ各宿星により変化する。１２宿星（人間の生まれ）の基本を表現するとき各宿星の令がどの干支に入るかにより、表現する。いわゆる、基本となる言葉を中心として運命分析をする。本考案に係る円形図は、上記表７を表から円形図にすることにより時の流れを表現し、より運命分析しやすくまた、鑑定依頼人の理解をより得やすくした。
【００３２】
即ち、図１が本考案に係る令翠学運命分析鑑定用の円形運命盤であり、以下に詳述する。
図１に示されるように、円形図は５個の円から構成される。内側の第１円外に向かい第２〜５円とする以下の構成で表現される。
【００３３】
第１円（方位）は、東西南北表示欄（１）であり、共通位置項目である。
第２円（干支）は、子丑寅卯辰巳午未申酉戌亥表示欄（２）であり、共通位置項目である。
第３円（月）は、１月〜１２月表示欄（３）であり、共通位置項目である。
【００３４】
第４円（周期）は、図２に示される開拓、生長、決定、健康、人気、油断、再開、経済、充実、背信、令、精算という１２言葉を記入するための空欄（４）であり、各１２宿星別に位置が異なるが、これは、各宿星の令の位置を図２から求めて記入することにより残りの１１の言葉を一定した順序に記入するための空欄（４）であって、その宿星の１２年の周期を表すものである。
【００３５】
第５円（年）は、この例の場合、平成９年（１９９７年）〜平成２０年（２００８年）である年号表示欄（５）であり、共通位置項目である。但し、この年号表示欄（５）は２年から３年置きに年を進め改定されることとなる。
【図面の簡単な説明】
【００３６】
【図１】本考案に係る令翠学運命分析鑑定用の円形運命盤の一実施例を示す正面図。
【図２】本考案に用いられる運命周期図の一実施例を示す正面図。
【符号の説明】
【００３７】
（１）  東西南北表示欄
（２）  子丑寅卯辰巳午未申酉戌亥表示欄
（３）  １月〜１２月表示欄
（４）  空欄（１２の言葉の記入欄）
（５）  年号表示欄
【図１】
0003110574.tif 000010
【図２】
0003110574.tif 000011
【手続補正書】
【提出日】平成17年2月3日(2005.2.3)
【手続補正１】
【補正対象書類名】実用新案登録請求の範囲
【補正対象項目名】請求項１
【補正方法】変更
【補正の内容】
【請求項１】
鑑定士の判断、鑑定依頼人への鑑定内容の説明、鑑定依頼人の理解を容易にするための運命盤において、年月記載欄、方位記載欄、干支記載欄が空欄と共に円形に配置されていることを特徴とする令翠学運命分析鑑定用の円形運命盤。
【手続補正２】
【補正対象書類名】実用新案登録請求の範囲
【補正対象項目名】請求項２
【補正方法】変更
【補正の内容】
【請求項２】
人間の生まれを１２種類（以下「宿星」という。）に置き換えて、それぞれの宿星の元生まれた人間の運命を、１２年を１周として分析すると共に、その１２年の一年一年に一定順序の１２の言葉を当てはめ運命周期として表現し、１２の各宿星それぞれの周期に上記１２の言葉を当てはめ、年月、方位、干支の関係を表現し、運命分析する為に、記録媒体に、年月記載欄、方位記載欄、干支記載欄が空欄と共に円形に配置記録されている構成であることを特徴とする請求項１に記載の令翠学運命分析鑑定用の円形運命盤。
【手続補正３】
【補正対象書類名】実用新案登録請求の範囲
【補正対象項目名】請求項３
【補正方法】変更
【補正の内容】
【請求項３】
前記１２の言葉が開拓、生長、決定、健康、人気、油断、再開、経済、充実、背信、令、精算の文字であることを特徴とする請求項２に記載の令翠学運命分析鑑定用の円形運命盤。
【手続補正４】
【補正対象書類名】実用新案登録請求の範囲
【補正対象項目名】請求項４
【補正方法】変更
【補正の内容】
【請求項４】
前記１２の言葉である文字が、記録媒体に記録されている構成であることを特徴とする請求項２又は３に記載の令翠学運命分析鑑定用の円形運命盤。
【手続補正５】
【補正対象書類名】実用新案登録請求の範囲
【補正対象項目名】請求項５
【補正方法】変更
【補正の内容】
【請求項５】
前記空欄が記録媒体に記録されている１２の言葉である文字を記入するための書込み欄であることを特徴とする請求項１〜４のいずれかに記載の令翠学運命分析鑑定用の円形運命盤。
【手続補正６】
【補正対象書類名】明細書
【補正対象項目名】０００４
【補正方法】変更
【補正の内容】
【０００４】
上記課題を解決する本考案は，下記構成を有する。
１．鑑定士の判断、鑑定依頼人への鑑定内容の説明、鑑定依頼人の理解を容易にするための運命盤において、年月記載欄、方位記載欄、干支記載欄が空欄と共に円形に配置されていることを特徴とする令翠学運命分析鑑定用の円形運命盤。
【手続補正７】
【補正対象書類名】明細書
【補正対象項目名】０００５
【補正方法】変更
【補正の内容】
【０００５】
２．人間の生まれを１２種類（以下「宿星」という。）に置き換えて、それぞれの宿星の元生まれた人間の運命を、１２年を１周として分析すると共に、その１２年の一年一年に一定順序の１２の言葉を当てはめ運命周期として表現し、１２の各宿星それぞれの周期に上記１２の言葉を当てはめ、年月、方位、干支の関係を表現し、運命分析する為に、記録媒体に、年月記載欄、方位記載欄、干支記載欄が空欄と共に円形に配置記録されている構成であることを特徴とする前記１に記載の令翠学運命分析鑑定用の円形運命盤。
【手続補正８】
【補正対象書類名】明細書
【補正対象項目名】０００６
【補正方法】変更
【補正の内容】
【０００６】
３．前記１２の言葉が開拓、生長、決定、健康、人気、油断、再開、経済、充実、背信、令、精算の文字であることを特徴とする前記２に記載の令翠学運命分析鑑定用の円形運命盤。
【手続補正９】
【補正対象書類名】明細書
【補正対象項目名】０００７
【補正方法】変更
【補正の内容】
【０００７】
４．前記１２の言葉である文字が、記録媒体に記録されている構成であることを特徴とする前記２又は３に記載の令翠学運命分析鑑定用の円形運命盤。
【手続補正１０】
【補正対象書類名】明細書
【補正対象項目名】０００８
【補正方法】変更
【補正の内容】
【０００８】
５．前記空欄が記録媒体に記録されている１２の言葉である文字を記入するための書込み欄であることを特徴とする前記１〜４のいずれかに記載の令翠学運命分析鑑定用の円形運命盤。
【手続補正１１】
【補正対象書類名】明細書
【補正対象項目名】００３４
【補正方法】変更
【補正の内容】
【００３４】
第４円（周期）は、図２に示される開拓、生長、決定、健康、人気、油断、再開、経済、充実、背信、令、精算という１２の言葉である文字を記入するための空欄（４）であり、各１２宿星別に位置が異なるが、これは、各宿星の令の位置を図２から求めて記入することにより残りの１１の言葉である文字を一定した順序に記入するための空欄（４）であって、その宿星の１２年の周期を表すものである。